(57)【要約】【課題】予備のネジ山トラックを備えるボールネジの提供。【解決手段】予備のネジ山トラックを備えるボールネジは、ネジ２、ナット３、第一ローリングボールユニット４、回流ユニット６を備え、ネジ２は２個の第一ネジ山トラック２２を備え、ナット３は各第一ネジ山トラック２２とそれぞれ相互に対応する２個の第一ボール槽３３、及び少なくとも１個のワイパー３５を備え、第一ローリングボールユニット４は第一ボール槽３３と、それが対応する第一ネジ山トラック２２との間に装置し、ワイパー３５はローリングボール４１を装置する第一ネジ山トラック２２と接触する第一接触点３５１、及び第一ネジ山トラック２２と接触する第二接触点３５２を備え、回流ユニット６は各第一ボール槽３３に連接し、これにより交換不要であるためコストを削減でき、また交換して再設置するための時間を節減可能とすることができる。【選択図】図４
0003176703.tif 000002
【実用新案登録請求の範囲】
【請求項１】
予備のネジ山トラックを備えるボールネジは、ネジ、ナット、第一ローリングボールユニット、回流ユニットを備え、
前記ネジは、本体、前記本体外表面に間を開け同一のネジ山距離、同一のネジ山角を備える第一ネジ山トラックを備え、
前記ナットは、回転状に前記ネジに嵌めて設置し、環状本体、前記環状本体内周面に間を開けて設置し、しかも前記各第一ネジ山トラックとそれぞれ相互に対応する２個の第一ボール槽、及び前記環状本体内周面に設置する少なくとも１個のワイパーを備え、
前記第一ローリングボールユニットは、前記第一ボール槽と、それが対応する第一ネジ山トラックとの間に装置し、ローリング可能な多数のローリングボールを備え、
前記ワイパーは、前記各ローリングボールを装置する第一ネジ山トラックと接触する第一接触点、及び第一ネジ山トラックと接触する第二接触点を備え、
前記回流ユニットは、前記ナットの環状本体に設置し、しかも間を開けて設置する２個の第一回流管を備え、前記各第一回流管の両端は、前記各第一ボール槽の両端にそれぞれ連接することを特徴とする予備のネジ山トラックを備えるボールネジ。
【請求項２】
前記ネジはさらに、前記各第一ネジ山トラックと同一のネジ山距離、同一のネジ山角を備え、しかも前記各第一ネジ山トラックと間を開けて、前記本体外表面に設置する第二ネジ山トラックを備え、
前記ナットはさらに、前記各第一ボール槽と間を開けて、その内周面に設置し、しかも前記第二ネジ山トラックと相互に対応する第二ボール槽を備え、
前記各ワイパーはさらに、前記第二ネジ山トラックと接触する第三接触点をそれぞれ備え、
前記回流ユニットはさらに、第二回流管を備え、前記第二回流管の両端は、前記第二ボール槽の両端にそれぞれ連接することを特徴とする請求項１に記載の予備のネジ山トラックを備えるボールネジ。
【考案の詳細な説明】
【技術分野】
【０００１】
本考案はボールネジに関し、予備のネジ山トラックを備えるボールネジに関する。
【背景技術】
【０００２】
ボールネジは、工作機械、光電設備、半導体設備、医療精密設備の伝動部品に広く使用されている。ボールネジは、高精密で効率的であり、可逆性を備えるという長所を持つ。
【０００３】
図１に示すように、従来の第一種のボールネジは、ネジ１１、ネジ１１に可動状に嵌めて設置するナット１２、ネジ１１とナット１２との間に装置する多数のローリングボール(鋼球)１３を備える。ネジ１１は、本体１１１、本体１１１外表面１１２に形成するネジ山トラック１１３を備える。ナット１２は、環状本体１２１、環状本体１２１に形成し、ネジ１１に隣接する内周面１２２、内周面１２２に形成し、ネジ山トラック１１３と相互に対応するボール槽１２５、内周面１２２にボール槽１２５と間隔をあけて設置するワイパー１２６を備える。各ローリングボール１３は、ネジ山トラック１１３とボール槽１２５との間にローリング状に装置する。
【０００４】
図２に示すように、従来の第二種のボールネジ構造は、第一種の従来のボールネジと相似している。両者の主要な差異は、従来の第二種のボールネジ構造が、ダブルリードネジである点である。従来の第二種のボールネジにおいては、ネジ１１とナット１２は、２個のネジ山トラック１１３、及び各ネジ山トラック１１３と相互にそれぞれ対応する２個のボール槽１２５をそれぞれ備える。各ローリングボール１３は、各ネジ山トラック１１３と、それぞれ対応するボール槽１２５との間に、それぞれ装置する。この種のボールネジは、２個のネジ山トラック１１３を同時に使用するため、高い負荷効果を備える。
【０００５】
図３に示すように、従来の第三種のボールネジ構造は、第一種の従来のボールネジと相似している。両者の主要な差異は、従来の第三種のボールネジ構造が、高リードネジである点である。従来の第三種のボールネジにおいては、ネジ１１とナット１２は、３個のネジ山トラック１１３、及び各ネジ山トラック１１３と相互にそれぞれ対応する３個のボール槽１２５をそれぞれ備える。各ローリングボール１３は、各ネジ山トラック１１３と、それぞれ対応するボール槽１２５との間に、それぞれ装置する。この種のボールネジは、３個のネジ山トラック１１３を同時に使用するため、高いリード効果を備える。
【０００６】
ガントリー工作機械などの小型器具設備や大型機械設備で使用されるボールネジは、数千元から百万元に近いものまでさまざま存在するが、いずれも高価で、交換する際に大きな負担となっている。中でも、ネジ山トラック１１３は、磨耗し易いため、それが精度を失えば、ボールネジ全体を取り外し、新しいボールネジに交換しなければならない。これでは、コストがかかり過ぎ、また交換と再設置にも時間がかかる。さらに、ダブルリード及び高リードボールネジの各ネジ山トラック１１３は、同時に使用されるため、各ネジ山１１３のネジ山角の精密度、及びネジ山間隔距離の精密度に対する要求が非常に高い。これにより、ネジ１１の加工コストは非常に高くなってしまう。本考案は、従来のボールネジの上記した欠点に鑑みてなされたものである。
【考案の概要】
【考案が解決しようとする課題】
【０００７】
本考案が解決しようとする課題は、交換不要であるためコストを削減でき、また交換して再設置するための時間を節減できる予備のネジ山トラックを備えるボールネジを提供することである。
【課題を解決するための手段】
【０００８】
上記課題を解決するため、本考案は下記の予備のネジ山トラックを備えるボールネジを提供する。
予備のネジ山トラックを備えるボールネジは、ネジ、ナット、第一ローリングボールユニット、回流ユニットを備え、
該ネジは、本体、該本体外表面に間を開けて、同一のネジ山距離及び同一のネジ山角を備える第一ネジ山トラックを備え、
該ナットは、回転状に該ネジに嵌めて設置し、環状本体、該環状本体内周面に間を開けて設置し、しかも該各第一ネジ山トラックとそれぞれ相互に対応する２個の第一ボール槽、及び該環状本体内周面に設置する少なくとも１個のワイパーを備え、
該第一ローリングボールユニットは、該第一ボール槽と、それが対応する第一ネジ山トラックとの間に装置し、ローリング可能な多数のローリングボールを備え、
該ワイパーは、該各ローリングボールを設置する第一ネジ山トラックと接触する第一接触点、及び第一ネジ山トラックと接触する第二接触点を備え、
該回流ユニットは、該ナットの環状本体に設置し、しかも間を開けて設置する２個の第一回流管を備え、該各第一回流管の両端は、該各第一ボール槽の両端にそれぞれ連接し、
本考案は、該ナットに使用中の第一ネジ山トラックと、予備の第一ネジ山トラックを同時に形成し、
使用中の第一ネジ山トラックが磨耗により精度を失った時にも、予備の第一ネジ山トラックは未使用であるため、精度には影響が及ばず、該第一ローリングボールユニットを予備の第一ネジ山トラックへと移し、継続して使用することができ、ボールネジ全体を交換する必要がなく、手順が簡単で、交換して再設置する時間を節減することができ、
該各ネジ山トラックは従来のダブルリードのネジ及び高リードネジとは異なり、同時に使用せずに単独で使用するため、精密度に対する要求ははるかに低く、ネジの製造コストを引き下げることができる。
【考案の効果】
【０００９】
本考案予備のネジ山トラックを備えるボールネジは、ボールネジ全体を交換する必要がないため、購入コストを節減でき、設置プロセスは簡単で、交換と設置の時間を削減することができ、さらにネジの製造コストを引き下げることができ、考案の目的を確実に達成することができ、全世界の航空宇宙工業、及び金属加工/機械産業に極めて大きな影響を及ぼすことは疑いがない。
【図面の簡単な説明】
【００１０】
【図１】従来の第一種ボールネジの立体断面図である。
【図２】従来の第二種ボールネジの立体断面図である。
【図３】従来の第三種ボールネジの立体断面図である。
【図４】本考案第一実施例予備のネジ山トラックを備えるボールネジの立体断面図である。
【図５】本考案第一実施例の回流ユニットの断面図である。
【図６】本考案第二実施例予備のネジ山トラックを備えるボールネジの立体断面図である。
【図７】本考案第二実施例の回流ユニットの断面図である。
【考案を実施するための形態】
【００１１】
以下に図面を参照しながら本考案を実施するための最良の形態について詳細に説明する。
【実施例】
【００１２】
図４、５に示すように、本考案第一実施例予備のネジ山トラックを備えるボールネジは、ネジ２、ナット３、第一ローリングボールユニット４、回流ユニット６を備える。図４は、第一実施例において、一部のナットを取り除いた後の立体断面図である。
【００１３】
ネジ２は、本体２１、本体２１外表面２１１に間を開けて同一のネジ山距離、同一のネジ山角を備える第一ネジ山トラック２２を備える。
【００１４】
ナット３は、回転状にネジ２に嵌めて設置する。ナット３は、環状本体３１、環状本体３１内周面３２に間を開けて設置し、しかも各第一ネジ山トラック２２とそれぞれ相互に対応する２個の第一ボール槽３３、第一ボール槽３３とそれぞれ間を開けて内周面３２に設置するワイパー３５を備える。
【００１５】
第一ローリングボールユニット４は、第一ボール槽３３と、それが対応する第一ネジ山トラック２２との間に装置し、ローリング可能な多数のローリングボール４１を備える。各ワイパー３５は、環状本体３１両端の内周面３２にそれぞれ設置し、しかも各ローリングボール４１を設置する第一ネジ山トラック２２と接触する第一接触点３５１、及び第一ネジ山トラック２２と接触する第二接触点３５２を備える。
【００１６】
回流ユニット６は、ナット３の環状本体３１に設置し、各第一ボール槽３３に連接する。回流ユニット６は、間を開けて設置する２個の第一回流管６１を備え、しかも各第一回流管６１の両端は、各第一ボール槽３３の両端にそれぞれ連接し、２個の独立した回路を形成する。
【００１７】
使用時には、各ローリングボール４１は、１個の第一ボール槽３３、及びそれが対応する第一ネジ山トラック２２にのみ位置し、それが対応する第一回流管６１が構成する回路内においてローリングすることができる。他の第一ネジ山トラック２２、他の第一ボール槽３３、他の第一回流管６１は、予備として保留する。各ワイパー３５は、ナット３の環状本体３１とネジ２の同時相対回転に従い、各第一接触点３５１は、使用中の第一ネジ山トラック２２内の異物(図示なし)を除去することができる。各第二接触点３５２は、他の予備の第一ネジ山トラック２２内の異物を除去することができ、該トラック内を清潔に保つことができる。各ローリング４１を装置した第一ネジ山トラック２２が、磨耗により精度を失い、使用不能となった時には、使用者は、ナット３を取り外し、第一ローリングボールユニット４を他の第一ネジ山トラック２２に設置し、再び、ナット３をネジ２に設置する。これにより、継続して使用可能となり、交換プロセスは非常に簡単となる。
【００１８】
図６、７に示すように、本考案第二実施例予備のネジ山トラックを備えるボールネジは、ネジ２、ナット３、第一ローリングボールユニット４、回流ユニット６を備える。
【００１９】
第二実施例の構造は、上記した第一実施例とおおよそ同じであるが、両者の相違について以下に説明する。
【００２０】
ネジ２は、各第一ネジ山トラック２２と同一のネジ山距離及び同一のネジ山角を備え、しかも各第一ネジ山トラック２２と間を開けて、本体２１外表面２１１に設置する第二ネジ山トラック２３を備える。
【００２１】
ナット３はさらに、各第一ボール槽３３と間を開けて、その内周面３２に設置し、しかも第二ネジ山トラック２３と相互に対応する第二ボール槽３６を備える。各ワイパー３５はさらに、第二ネジ山トラック２３と接触する第三接触点３５３をそれぞれ備える。第三接触点３５３は、第二ネジ山トラック２３内の異物を除去し、該トラック内を清潔に保つことができる。
【００２２】
回流ユニット６はさらに、第二回流管６２を備える。第二回流管６２の両端は、第二ボール槽３６の両端にそれぞれ連接する。
【００２３】
これにより、ボールネジは、シングルリードを備え、しかも同時に予備の第一ネジ山トラック２２、及び予備の第二ネジ山トラック２３を備える。２個の第一ネジ山トラック２２が共に、使用により磨耗して精度を失ったとしても、第一ローリングボールユニット４を第二ネジ山トラック２３に移動させれば、継続して使用することができる。こうして、コストを節減することができ、交換して再設置する時間を削減することができる。
【００２４】
本考案予備のネジ山トラックを備えるボールネジが形成する各第一ネジ山トラック２２は、同時には使用せず単独で使用する。そのため、各第一ネジ山トラック２２のネジ山角、及びネジ山間隔距離の精密度に対する要求は、ダブルリードのネジ、高リードネジの精密度に対する要求に比べ、はるかに低い。よって、ネジ２の製造コストを引き下げることができる。
【００２５】
上記したように、ネジ２に形成する２個の第一ネジ山トラック２２に、ナット３の各第一ボール槽３３を対応させ、使用時には、各ローリングボール４１を、１個の第一ボール槽３３と、それが対応する第一ネジ山トラック２２との間にのみ装置する。一定時間の使用後に、第一ネジ山トラック２２が磨耗により精度を失い、機能を発揮できなくなった場合には、使用者は第一ローリングボールユニット４を、他の予備の第一ネジ山トラック２２に移す。これにより、ボールネジ全体を交換する必要がなく、継続して使用することができる。本考案予備のネジ山トラックを備えるボールネジは、ボールネジ全体を交換する必要がないため、コストを節減でき、設置プロセスは簡単で、交換と設置の時間を削減することができ、さらにネジ２の製造コストを引き下げることができ、考案の目的を確実に達成することができる。
【００２６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２８】
２      ネジ
２１    本体
２１１  外表面
２２    第一ネジ山トラック
２３    第二ネジ山トラック
３      ナット
３１    環状本体
３２    内周面
３３    第一ボール槽
３５    ワイパー
３５１  第一接触点
３５２  第二接触点
３５３  第三接触点
３６    第二ボール槽
４      第一ローリングボールユニット
４１    ローリングボール
６      回流ユニット
６１    第一回流管
６２    第二回流管
【図１】
0003176703.tif 000003
【図２】
0003176703.tif 000004
【図３】
0003176703.tif 000005
【図４】
0003176703.tif 000006
【図５】
0003176703.tif 000007
【図６】
0003176703.tif 000008
【図７】
0003176703.tif 000009